(57)【要約】【課題】アクセサリが意図せずして電子デバイスの差し込み口から抜けてしまうことを軽減することができる電子デバイス用のアクセサリを提供する。【解決手段】接続プラグ２０を電子デバイス１００のコネクタ１０１に表向きに接続すると、挿入ピン３０が、電子デバイス１００のコネクタ１０３の差し込み口１０４に対向する状態となる。ここで、操作ボタン４０を上方向にスライドさせると、挿入ピン３０が、筐体１０内部に収容されてコネクタ１０３から離間する位置から筐体１０から突出して差し込み口１０４に内挿されて係合する位置へ移動する。また、接続プラグ２０を電子デバイス１００のコネクタ１０１に裏向きに接続すると、挿入ピン３０が、電子デバイス１００のコネクタ１０３の差し込み口１０４には対向しない状態となる。このとき、電子デバイス１のコネクタ１０３は、アクセサリ１に覆われず、コネクタ１０３に他のアクセサリが接続可能となる。【選択図】図２
2014123889.tif 000002
【特許請求の範囲】
【請求項１】
電子デバイスに取り付けて使用される電子デバイス用のアクセサリであって、
前記電子デバイスが備える二つのコネクタのうちの一方である第一コネクタの差し込み口に差し込まれて前記第一コネクタと接続可能な接続部と、
前記接続部が前記第一コネクタに接続される際に前記電子デバイスが備える二つのコネクタのうちの他方である第二コネクタの差し込み口に対向する対向状態と前記第二コネクタの差し込み口とは対向しない非対向状態との何れかとなり、前記対向状態では前記第二コネクタの差し込み口に係合可能な係合部と、を備えること
を特徴とする電子デバイス用アクセサリ。
【請求項２】
請求項１に記載の電子デバイス用アクセサリにおいて、
前記係合部は、前記対向状態にあるときに、前記第二コネクタの差し込み口に内挿されて前記第二コネクタの差し込み口に係合する位置と前記第二コネクタの差し込み口に内挿されずに前記第二コネクタの差し込み口から離間する位置との間で移動可能であること
を特徴とする電子デバイス用アクセサリ。
【請求項３】
請求項２に記載の電子デバイス用アクセサリにおいて、
前記係合部は、前記第二コネクタの差し込み口に係合する位置にあるときに、前記第二コネクタの差し込み口の内壁面に当接する当接面を有すること
を特徴とする電子デバイス用アクセサリ。
【請求項４】
請求項３に記載の電子デバイス用アクセサリにおいて、
前記当接面は、前記内壁面に向けて付勢されていること
を特徴とする電子デバイス用アクセサリ。
【請求項５】
請求項２〜請求項４のいずれか１項に記載の電子デバイス用アクセサリにおいて、
前記係合部を移動させる操作を受け付ける係合部用操作部を備えること
を特徴とする電子デバイス用アクセサリ。
【請求項６】
請求項２〜請求項５のいずれか１項に記載の電子デバイス用アクセサリにおいて、
前記係合部を前記第二コネクタの差し込み口に係合する位置に向けて付勢する付勢部を備えること
を特徴とする電子デバイス用アクセサリ。
【請求項７】
請求項１〜請求項６の何れか１項に記載の電子デバイス用アクセサリにおいて、
前記係合部を含む部位が着脱可能に構成されていること
を特徴とする電子デバイス用アクセサリ。
【請求項８】
請求項１〜請求項７の何れか１項に記載の電子デバイス用アクセサリにおいて、
前記係合部が前記非対向状態にあるときに、前記第二コネクタに接続された構造物を係止可能な係止部を備えること
を特徴とする電子デバイス用アクセサリ。
【請求項９】
請求項８に記載の電子デバイス用アクセサリにおいて、
前記係止部は、その内側に前記構造物の一部を嵌着可能な凹部または孔部を有すること
を特徴とする電子デバイス用アクセサリ。
【請求項１０】
請求項８または請求項９に記載の電子デバイス用アクセサリにおいて、
前記係止部を含む部位が着脱可能に構成されていること
を特徴とする電子デバイス用アクセサリ。
【請求項１１】
請求項１〜請求項７の何れか１項に記載の電子デバイス用アクセサリにおいて、
前記係合部が前記非対向状態にあるときに前記第二コネクタの差し込み口に対向し、前記第二コネクタの差し込み口に差し込まれて前記第二コネクタと接続可能であり、接続された前記第二コネクタを代替する代替部を備えること
を特徴とする電子デバイス用アクセサリ。
【請求項１２】
請求項１１に記載の電子デバイス用アクセサリにおいて、
前記代替部の前記第二コネクタに接続される部位は、前記第二コネクタの差し込み口に内挿されて前記第二コネクタの差し込み口に係合する位置と前記第二コネクタの差し込み口に内挿されずに記第二コネクタの差し込み口から離間する位置との間で移動可能であること
を特徴とする電子デバイス用アクセサリ。
【請求項１３】
請求項１２に記載の電子デバイス用アクセサリにおいて、
前記代替部の前記第二コネクタに接続可能な部位を移動させる操作を受け付ける代替部用操作部を備えること
を特徴とする電子デバイス用アクセサリ。
【請求項１４】
請求項１１〜請求項１３のいずれか１項に記載の電子デバイス用アクセサリにおいて、
前記代替部を含む部位が着脱可能に構成されていること
を特徴とする電子デバイス用アクセサリ。
【発明の詳細な説明】
【技術分野】
【０００１】
本発明は、スマートフォン等の電子デバイス用のアクセサリに関する。
【背景技術】
【０００２】
スマートフォン等の電子デバイスが備えるコネクタの差し込み口に差し込んで使用するアクセサリが広まっている（例えば、特許文献１参照。）。
【先行技術文献】
【特許文献】
【０００３】
【特許文献１】登録実用新案第３１６９０９８号公報（第５頁、図１）
【発明の概要】
【発明が解決しようとする課題】
【０００４】
従来の電子デバイスにおいては、コネクタからアクセサリのコネクタが意図せずして抜けないようにするための爪などの抜け防止機構が設けられていることが多かったため、その機構に対応したアクセサリであれば意図せずして差し込み口から抜けてしまうことも少なかった。
【０００５】
近年、小型化されたコネクタ及び差し込み口を採用した電子デバイスが広まりつつある。また、コネクタの小型化や抜き差しの容易化等のために抜け防止機構を簡略化したコネクタ及び差し込み口を採用した電子デバイスが広まりつつある。それらのようなコネクタ及び差し込み口を有する電子デバイスの場合は、アクセサリが意図せずして差し込み口から抜けてしまうおそれが高まる。
【０００６】
本発明は、このような課題に鑑みなされたものであり、その目的とするところは、アクセサリが意図せずして電子デバイスの差し込み口から抜けてしまうことを軽減することができるアクセサリを提供することにある。
【課題を解決するための手段】
【０００７】
上記課題を解決するためになされた請求項１に係る電子デバイス用アクセサリは、電子デバイスに取り付けて使用される電子デバイス用のアクセサリであって、前記電子デバイスが備える二つのコネクタのうちの一方である第一コネクタの差し込み口に差し込まれて前記第一コネクタと接続可能な接続部と、前記接続部が前記第一コネクタに接続される際に前記電子デバイスが備える二つのコネクタのうちの他方である第二コネクタの差し込み口に対向する対向状態と前記第二コネクタの差し込み口とは対向しない非対向状態との何れかとなり、前記対向状態では前記第二コネクタの差し込み口に係合可能な係合部と、を備えることを特徴とする。
【０００８】
このように構成された本発明の電子デバイス用アクセサリによれば、対向状態にある係合部を第二コネクタの差し込み口に係合させることで、アクセサリが意図せずして電子デバイスの差し込み口から抜けてしまうことを軽減することができる。
【０００９】
また、係合部を非対向状態にすれば、第二コネクタに他のアクセサリが接続可能となり、他のアクセサリの使用を妨げることはない。
請求項２に係る電子デバイス用アクセサリは、請求項１に記載の電子デバイス用アクセサリにおいて、前記係合部は、前記対向状態にあるときに、前記第二コネクタの差し込み口に内挿されて前記第二コネクタの差し込み口に係合する位置と前記第二コネクタの差し込み口に内挿されずに前記第二コネクタの差し込み口から離間する位置との間で移動可能であることを特徴とする。
【００１０】
このように構成された本発明の電子デバイス用アクセサリによれば、簡単な構成で、係合部を実現することができる。
請求項３に係る電子デバイス用アクセサリは、請求項２に記載の電子デバイス用アクセサリにおいて、前記係合部は、前記第二コネクタの差し込み口に係合する位置にあるときに、前記第二コネクタの差し込み口の内壁面に当接する当接面を有することを特徴とする。
【００１１】
このように構成された本発明の電子デバイス用アクセサリによれば、係合部を第一コネクタの差し込み口により確実に係合させることができる。
請求項４に係る電子デバイス用アクセサリは、請求項３に記載の電子デバイス用アクセサリにおいて、前記当接面は、前記内壁面に向けて付勢されていることを特徴とする。
【００１２】
このように構成された本発明の電子デバイス用アクセサリによれば、係合部を第一コネクタの差し込み口により確実に係合させることができる。
請求項５に係る電子デバイス用アクセサリは、請求項２〜請求項４のいずれか１項に記載の電子デバイス用アクセサリにおいて、前記係合部を移動させる操作を受け付ける係合部用操作部を備えることを特徴とする。
【００１３】
このように構成された本発明の電子デバイス用アクセサリによれば、利用者の意図する位置に係合部を配置することができる。
請求項６に係る電子デバイス用アクセサリは、請求項２〜請求項５のいずれか１項に記載の電子デバイス用アクセサリにおいて、前記係合部を前記第二コネクタの差し込み口に係合する位置に向けて付勢する付勢部を備えることを特徴とする。
【００１４】
このように構成された本発明の電子デバイス用アクセサリによれば、対向状態にある係合部を付勢部による付勢力によって第一コネクタの差し込み口に差し入れることができる。
【００１５】
請求項７に係る電子デバイス用アクセサリは、請求項１〜請求項６の何れか１項に記載の電子デバイス用アクセサリにおいて、前記係合部を含む部位が着脱可能に構成されていることを特徴とする。
【００１６】
このように構成された本発明の電子デバイス用アクセサリによれば、不要であれば係合部を含む部位を取り外して使用することができる。
請求項８に係る電子デバイス用アクセサリは、請求項１〜請求項７の何れか１項に記載の電子デバイス用アクセサリにおいて、前記係合部が前記非対向状態にあるときに、前記第二コネクタに接続された構造物を係止可能な係止部を備えることを特徴とする。
【００１７】
このように構成された本発明の電子デバイス用アクセサリによれば、アクセサリが意図せずして電子デバイスの差し込み口から抜けてしまうことを軽減しながら、第二コネクタに他のアクセサリやイヤホンジャックなどの構造物を接続可能とすることができる。
【００１８】
請求項９に係る電子デバイス用アクセサリは、請求項８に記載の電子デバイス用アクセサリにおいて、前記係止部は、その内側に前記構造物の一部を嵌着可能な凹部または孔部を有することを特徴とする。
【００１９】
このように構成された本発明の電子デバイス用アクセサリによれば、簡単な構成で、係止部を実現することができる。
請求項１０に係る電子デバイス用アクセサリは、請求項８または請求項９に記載の電子デバイス用アクセサリにおいて、前記係止部を含む部位が着脱可能に構成されていることを特徴とする。
【００２０】
このように構成された本発明の電子デバイス用アクセサリによれば、不要であれば係止部を含む部位を取り外して使用することができる。
請求項１１に係る電子デバイス用アクセサリは、請求項１〜請求項７の何れか１項に記載の電子デバイス用アクセサリにおいて、前記係合部が前記非対向状態にあるときに前記第二コネクタの差し込み口に対向し、前記第二コネクタの差し込み口に差し込まれて前記第二コネクタと接続可能であり、接続された前記第二コネクタを代替する代替部を備えることを特徴とする。
【００２１】
このように構成された本発明の電子デバイス用アクセサリによれば、アクセサリが意図せずして電子デバイスの差し込み口から抜けてしまうことを軽減しながら、代替部を介して第二コネクタに他のアクセサリなどの構造物を接続可能とすることができる。
【００２２】
請求項１２に係る電子デバイス用アクセサリは、請求項１１に記載の電子デバイス用アクセサリにおいて、前記代替部の前記第二コネクタに接続される部位は、前記第二コネクタの差し込み口に内挿されて前記第二コネクタの差し込み口に係合する位置と前記第二コネクタの差し込み口に内挿されずに記第二コネクタの差し込み口から離間する位置との間で移動可能であることを特徴とする。
【００２３】
このように構成された本発明の電子デバイス用アクセサリによれば、簡単な構成で、代替部を実現することができる。
請求項１３に係る電子デバイス用アクセサリは、請求項１１または請求項１２に記載の電子デバイス用アクセサリにおいて、前記代替部の前記第二コネクタに接続可能な部位を移動させる操作を受け付ける代替部用操作部を備えることを特徴とする。
【００２４】
このように構成された本発明の電子デバイス用アクセサリによれば、代替部の第二コネクタに接続可能な部位を利用者の意図する位置に配置することができる。
請求項１４に係る電子デバイス用アクセサリは、請求項１１〜請求項１３のいずれか１項に記載の電子デバイス用アクセサリにおいて、前記代替部を含む部位が着脱可能に構成されていることを特徴とする。
【００２５】
このように構成された本発明の電子デバイス用アクセサリによれば、不要であれば代替部を含む部位を取り外して使用することができる。
【図面の簡単な説明】
【００２６】
【図１】（ａ）は実施形態の電子デバイス用アクセサリの構成を示す説明図であり、（ｂ）は拡大図である。
【図２】実施形態の電子デバイス用アクセサリの構成を示す説明図であり、（ａ）は対向状態を示し、（ｂ）は非対向状態を示す。
【図３】他の実施形態の電子デバイス用アクセサリの構成を示す説明図であり、（ａ）は対向状態を示し、（ｂ）は非対向状態を示す。
【図４】他の実施形態の電子デバイス用アクセサリの構成を示す説明図であり、（ａ）は対向状態を示し、（ｂ）は非対向状態を示す。
【発明を実施するための形態】
【００２７】
以下に本発明の実施形態を図面とともに説明する。
［１．電子デバイス用アクセサリ１の構成の説明］
図１に示す本実施形態の電子デバイス用アクセサリ（以下アクセサリ）１は、スマートフォン等の電子デバイス１００が備えるコネクタ１０１の差し込み口１０２に差し込んで使用される機器である。具体的には、アクセサリ１は、発光機能やバイブ機能を発揮する機能部（図示省略）と、前記機能部を収容する筐体１０と、接続プラグ２０と、挿入ピン３０と、操作ボタン４０と、を備える。なお、機能部については公知技術に従っているのでここではその詳細な説明は省略する。
【００２８】
筐体１０は、略直方体の樹脂製の容器である。また、筐体１０の上面（電子デバイス１００の下面に対向する面）には右側の接続プラグ２０および左側の挿入ピン３０が並べて取り付けられ、筐体１０の前面の左側には操作ボタン４０が取り付けられている。
【００２９】
接続プラグ２０は、電子デバイス１００が備えるコネクタ１０１（第一コネクタ）の差し込み口１０２に差し込まれて前記コネクタ１０１と接続可能である。なお、この接続プラグ２０は、電子デバイス１００のコネクタ１０１に表向きだけではなく裏向きにも差し込み可能になっている。そして、接続プラグ２０は筐体１０内部で機能部と接続されており、接続プラグ２０がコネクタ１０１に接続されると、電子デバイス１００と機能部とが電気的に接続されるようになっている。なお、接続プラグ２０は接続部に該当する。
【００３０】
挿入ピン３０は、軸形状の部材であり、筐体１０内部に収容される位置と、筐体１０から突出する位置との間で移動可能となっている。また、挿入ピン３０の先端付近からは一対の突起３１，３１が径方向に突出している。各突起３１は、挿入ピン３０内部に収容される位置から挿入ピン３０から突出する位置へ向けてばねなどで付勢されており、挿入ピン３０が電子デバイス１００のコネクタ１０１の差し込み口１０２に挿入されると付勢されて差し込み口１０２の内壁面に当接するようになっている。なお、挿入ピン３０は係合部に該当し、突起３１は当接面に該当する。
【００３１】
操作ボタン４０は、筐体１０の前面の左側に形成された、上下方向に延長する長溝１１の内部を移動可能に取り付けられている。また、操作ボタン４０の裏面は、挿入ピン３０に連結されている。なお、操作ボタン４０は係合部用操作部に該当する。
【００３２】
［２．電子デバイス用アクセサリ１の機能の説明］
次に、アクセサリ１の機能について説明する。
アクセサリ１を電子デバイス１００に取り付けるためには、まず、操作ボタン４０を下方向にスライドさせて挿入ピン３０が筐体１０内部に収容された状態にした後に、接続プラグ２０を電子デバイス１００のコネクタ１０１に表向きに接続する。このとき、挿入ピン３０が、電子デバイス１００が備える二つのコネクタ１０１，１０３のうちの他方のコネクタ１０３（第二コネクタ）の差し込み口１０４に対向する状態（対向状態）となる。ここで、操作ボタン４０を上方向にスライドさせると、挿入ピン３０が、筐体１０内部に収容されてコネクタ１０３から離間する位置から筐体１０から突出して差し込み口１０４に内挿されて係合する位置へ移動する（図２（ａ）参照）。このようにしてアクセサリ１を電子デバイス１００に取り付けることができる。このとき、電子デバイス１のコネクタ１０３は、アクセサリ１に覆われた状態となる。
【００３３】
なお、アクセサリ１を電子デバイス１００から取り外す際には、操作ボタン４０を上方向にスライドさせて、挿入ピン３０を、差し込み口１０４に内挿された位置から、筐体１０内部に収容されてコネクタ１０３から離間する位置に移動させる。続いて、接続プラグ２０を電子デバイス１００のコネクタ１０１から取り外す。
【００３４】
また、アクセサリ１を電子デバイス１００に取り付ける際に、接続プラグ２０を電子デバイス１００のコネクタ１０１に裏向きに接続すると、挿入ピン３０が、電子デバイス１００のコネクタ１０３の差し込み口１０４には対向しない状態（非対向状態）となる。このとき、電子デバイス１のコネクタ１０３は、アクセサリ１に覆われず、コネクタ１０３に他のアクセサリが接続可能となる。
【００３５】
［３．実施形態の効果］
このように本実施形態のアクセサリ１によれば、アクセサリ１を電子デバイス１００に取り付ける際に、接続プラグ２０を電子デバイス１００のコネクタ１０１に表向きに接続して、挿入ピン３０を対向状態にすれば、対向状態にある挿入ピン３０をコネクタ１０３の差し込み口１０４に係合させることで、当該アクセサリ１が意図せずして電子デバイス１００から外れてしまうことを軽減することができる。
【００３６】
また、アクセサリ１を電子デバイス１００に取り付ける際に、接続プラグ２０を電子デバイス１００のコネクタ１０１に裏向きに接続して、挿入ピン３０を非対向状態にすれば、コネクタ１０３に他のアクセサリが接続可能となり、他のアクセサリの使用を妨げることはない。
【００３７】
［４．他の実施形態］
以上、本発明の一実施形態について説明したが、本発明は上記実施形態に限定されるものではなく、以下のような様々な態様にて実施することが可能である。
【００３８】
（１）上記実施形態では、挿入ピン３０が、筐体１０内部に収容される位置と筐体１０から突出する位置との間で移動可能となっているが、これには限られず、挿入ピン３０が移動せずに筐体１０内部に収容される位置に常に配置されるように構成してもよい。
【００３９】
（２）また、挿入ピン３０を、筐体１０内部に収容される位置から筐体１０から突出する位置へ向けてばねなどの付勢部（図示省略）によって付勢するように構成してもよい。
（３）また、挿入ピン３０および操作ボタン４０を含む部位をユニット化して当該アクセサリ１に対して着脱可能に構成してもよい。このように構成すれば、不要であれば前記ユニットを取り外して使用することができる。
【００４０】
（４）また、図３に例示するように、筐体１０の挿入ピン３０が取り付けられる部位とは反対側の部位に、電子デバイス１００のコネクタ１０３に接続可能なイヤホンジャックなどの接続プラグを係止可能な溝部５０を形成してもよい。この溝部５０は、コネクタ１０３に接続された接続プラグの一部を嵌着可能な形状になっている。なお、溝部５０は係止部に該当する。
【００４１】
接続プラグ２０を電子デバイス１００のコネクタ１０１に表向きに接続すると挿入ピン３０が対向状態となり、溝部５０についてはコネクタ１０３の差し込み口１０４からは離間する状態となる（図３（ａ）参照）。
【００４２】
一方、接続プラグ２０を電子デバイス１００のコネクタ１０１に裏向きに接続すると挿入ピン３０が非対向状態となるが、溝部５０がコネクタ１０３の差し込み口１０４に対向する状態となる（図３（ｂ）参照）。ここで、コネクタ１０３に上記接続プラグを接続すると、溝部５０に接続プラグの一部が嵌着される。
【００４３】
このように構成すれば、当該アクセサリ１が意図せずして電子デバイス１００から外れてしまうことを軽減しながら、コネクタ１０３に他のアクセサリを接続可能とすることができる。
【００４４】
（５）上述の溝部５０の代わりに、接続プラグの一部を嵌着可能な形状の孔部を形成してもよい。
（６）また、上述の溝部５０（または孔部）を含む部位をユニット化して当該アクセサリ１に対して着脱可能に構成してもよい。このように構成すれば、不要であれば前記ユニットを取り外して使用することができる。
【００４５】
（７）また、図４に例示するように、溝部５０の代わりに、コネクタ１０３に接続可能な接続プラグ６０と、接続プラグ６０と筐体１０内部で接続され、コネクタ１０３と同一仕様のコネクタ７０と、を備えるようにしてもよい。接続プラグ６０は、筐体１０内部に収容される位置と筐体１０から突出する位置との間で移動可能に構成される。
【００４６】
接続プラグ２０を電子デバイス１００のコネクタ１０１に表向きに接続すると挿入ピン３０が対向状態となり、接続プラグ６０についてはコネクタ１０３の差し込み口１０４からは離間する状態となる（図４（ａ）参照）。
【００４７】
一方、接続プラグ２０を電子デバイス１００のコネクタ１０１に裏向きに接続すると挿入ピン３０が非対向状態となるが、接続プラグ６０がコネクタ１０３の差し込み口１０４に対向する状態となる（図４（ｂ）参照）。ここで、操作ボタン８０を上方向にスライドさせると、接続プラグ６０が、筐体１０内部に収容されてコネクタ１０３から離間する位置から筐体１０から突出して差し込み口１０４に内挿されて係合するとともにコネクタ１０３に接続する位置へ移動する（図４（ｂ）参照）。
【００４８】
なお、接続プラグ６０およびコネクタ７０が代替部に該当する。
このように構成すれば、当該アクセサリ１が意図せずして電子デバイス１００から外れてしまうことを軽減しながら、コネクタ１０３に他のアクセサリを接続可能とすることができる。
【００４９】
（８）上述の接続プラグ６０については、移動せずに筐体１０内部に収容される位置に常に配置されるように構成してもよい。
（９）また、上述の接続プラグ６０、コネクタ７０および操作ボタン８０を含む部位をユニット化して当該アクセサリ１に対して着脱可能に構成してもよい。このように構成すれば、不要であれば前記ユニットを取り外して使用することができる。
【符号の説明】
【００５０】
１…電子デバイス用アクセサリ、１０…筐体、１１…長溝、２０…接続プラグ、３０…挿入ピン、３１…突起、４０，８０…操作ボタン、５０…溝部、６０…接続プラグ、７０…コネクタ、１００…電子デバイス、１０１，１０３…コネクタ、１０２，１０４…差し込み口
【図１】
2014123889.tif 000003
【図２】
2014123889.tif 000004
【図３】
2014123889.tif 000005
【図４】
2014123889.tif 000006